(57)【要約】【課題】  光コネクタアダプタに安定して固定でき、確実に所望の予約線番を標示できる光線番予約棒を提供する。【解決手段】  コネクタ接続盤１０が有する複数の光コネクタアダプタ２のうち、使用予約した線番の光コネクタアダプタ２を標示すべくその光コネクタアダプタ２に着脱自在に装着される光線番予約棒１において、光コネクタアダプタ２に係脱可能にロックされる装着部３と、装着部３に軸方向に延びて設けられた棒部４とを備えたものである。【選択図】  図１
2005266095.tif 000002
【特許請求の範囲】
【請求項１】
コネクタ接続盤が有する複数の光コネクタアダプタのうち、使用予約した線番の光コネクタアダプタを標示すべくその光コネクタアダプタに着脱自在に装着される光線番予約棒において、上記光コネクタアダプタに係脱可能にロックされる装着部と、該装着部に軸方向に延びて設けられた棒部とを備えたことを特徴とする光線番予約棒。
【請求項２】
上記装着部が、上記光コネクタアダプタに係脱可能なロック機構を有する光コネクタプラグからなる請求項１記載の光線番予約棒。
【請求項３】
上記棒部に、予約に係る情報を記載した請求項１又は２記載の光線番予約棒。
【請求項４】
上記棒部に、予約に係る情報を表示する表示手段を設けた請求項１又は２記載の光線番予約棒。
【請求項５】
上記表示手段はタグからなり、上記棒部はタグを結びつけるためのリングを有する請求項４記載の光線番予約棒。
【発明の詳細な説明】
【技術分野】
【０００１】
本発明は、使用予約した線番の光コネクタアダプタを標示するための光線番予約棒に関するものである。
【背景技術】
【０００２】
図５に示すように、電話局などに設置される光配線盤２０は、光コネクタアダプタ２１を縦横に多数整列してなるコネクタ接続盤１０を有する。コネクタ接続盤１０は、光接続の切り替えや、新規の光接続に対応できるように光コネクタアダプタ２１の数に余裕を持たせてあり、空き回線の光コネクタアダプタ２１も混在して配置されている。空き回線の光コネクタアダプタ２１にはキャップ２２を被せ、保護している。
【０００３】
ところで、接続事業者等が局内の光配線盤２０を利用したい場合、予め線番の予約をし、この線番に対応する光コネクタアダプタ２１を探して接続作業を行っているが、目的の光コネクタアダプタ２１が光ファイバコード２３等の陰に隠れている場合もあり、他の光コネクタアダプタ２１も多数あるため、探すのが大変であった。
【０００４】
このため、本発明に先立ち、予約した線番の位置を示すための予約棒（図示せず）を試作・開発した。この予約棒は、上述のキャップ２２に軸方向に延びる半透明の樹脂製の棒（図示せず）を設けてなるものであり、光コネクタアダプタ２１に着脱自在となっている。これにより、コネクタ接続盤１０を見るだけで容易に予約済みの光コネクタアダプタ２１を探せるようになった。
【０００５】
【特許文献１】特開２００１−５７６８３号公報
【発明の開示】
【発明が解決しようとする課題】
【０００６】
しかしながら、上述の予約棒は、キャップ２２を光コネクタアダプタ２１内に挿入するものであり、キャップ２２と光コネクタアダプタ２１との摩擦力で支承されるものであるため、手が棒に触れるだけで容易に抜け落ちてしまい、線番予約位置が判らなくなってしまうという課題があった。また、棒が半透明であるため暗い場所では目立たず、コネクタ接続盤１０に複数の予約棒が取り付けられている場合、どの予約棒がどの線番を示すかが判らなくなってしまうという課題があった。
【０００７】
そこで本発明の目的は、上記課題を解決し、光コネクタアダプタに安定して固定でき、確実に所望の予約線番を標示できる光線番予約棒を提供することにある。
【課題を解決するための手段】
【０００８】
上記課題を解決するために本発明は、コネクタ接続盤が有する複数の光コネクタアダプタのうち、使用予約した線番の光コネクタアダプタを標示すべくその光コネクタアダプタに着脱自在に装着される光線番予約棒において、上記光コネクタアダプタに係脱可能にロックされる装着部と、該装着部に軸方向に延びて設けられた棒部とを備えたものである。
【０００９】
上記装着部は、上記光コネクタアダプタに係脱可能なロック機構を有する光コネクタプラグからなるとよい。
【００１０】
また、上記棒部に、予約に係る情報を記載するとよく、上記棒部に、予約に係る情報を表示する表示手段を設けるとよい。
【００１１】
上記表示手段はタグからなり、上記棒部はタグを結びつけるためのリングを有するとよい。
【発明の効果】
【００１２】
本発明によれば、光コネクタアダプタに光線番予約棒を安定して固定でき、確実に所望の予約線番を標示できる。
【発明を実施するための最良の形態】
【００１３】
図１は光コネクタアダプタに装着した光線番予約棒の斜視図であり、図２は光線番予約棒の平面図である。
【００１４】
図１及び図２に示すように、光線番予約棒１は、コネクタ接続盤１０の光コネクタアダプタ２に係脱可能にロックされる装着部３と、装着部３に軸方向に延びて設けられた棒部４と、棒部４に設けられ予約に係る情報を表示する表示手段５とを備えて構成されている。
【００１５】
装着部３は、光コネクタアダプタ２に係脱可能なロック機構６を有する光コネクタプラグ７からなり、一旦光コネクタアダプタ２に装着したのちは、専用の着脱工具（図示せず）を用いなければ光コネクタアダプタ２から外れないようになっている。具体的には、装着部３はＳＣ２コネクタプラグからなり、ロック機構６は光コネクタプラグ７の両側に形成されたロック用の突起８からなる。図２及び図３に示すように、光コネクタプラグ７の突起８は、それぞれ光コネクタアダプタ２内の爪９に掛かるようになっている。爪９は、光コネクタアダプタ２内に突出するように弾発付勢されており、光コネクタプラグ７の突起８が爪９のさらに奥まで挿入されたとき、光コネクタプラグ７側に突出して突起８に掛かるようになっている。また、爪９は、それぞれ光コネクタアダプタ２内に完全に隠れているため、上述の着脱工具を用いなければ突起８から外すことはできない。
【００１６】
棒部４は、コネクタ接続盤１０に接続される光ファイバコード１１よりも太く形成されると共に、光コネクタアダプタ２に装着したとき、周囲から垂れ下がる既設の光ファイバコード１１から抜きん出る程度の長さに形成されている。これにより、棒部４は周囲の光ファイバコード１１に埋もれることなく目立つようになっている。
【００１７】
図１及び図２に示すように、棒部４は、比較的硬質かつ弾力を有する樹脂にて形成された芯棒１２と、芯棒１２の外周に設けられ予約に係る情報を表示するためのカバー１３と、芯棒１２の延長方向の先端に設けられ表示手段５たるタグ１４を結びつけるためのリング１５とからなる。カバー１３は、光ファイバコード１１と異なる系統の色、例えば黄色の光ファイバコード１１に対して白色に配色されており、施工会社名等の予約に係る情報を例えば赤色等の目立つ色で記載されている。また、カバー１３は、芯棒１２の外径と略同じサイズの内径に形成された樹脂チューブからなる。芯棒１２にカバー１３を取り付けるときは、芯棒１２の外周、またはカバー１３の内面にパウダー等の潤滑剤をまぶし、カバー１３内に芯棒１２を押し込む。カバー１３に対する芯棒１２の移動が止まると、カバー１３と芯棒１２との摩擦力は大きくなり、カバー１３は芯棒１２に容易に外れないように固着される。接着剤や特別な工具を必要としないため、容易に棒部４を製作できる。リング１５は、金属棒の一端側を環状に丸めてなる掛けがね状の金具からなり、直線状に延びる他端側を棒部４の先端に挿入して取り付けられている。具体的には、棒部４の芯棒１２はチューブ状に形成されており、リング１５を容易に取り付けられるようになっている。
【００１８】
図４（ａ）、（ｂ）に示すように、表示手段５は、タグ１４からなる。タグ１４は、予約に係る情報を記載する札１６と、札１６に結ばれた紐１７とからなる。札１６は、厚紙からなり、光ファイバコード１１に引っ掛からないように角を丸めて形成されている。札１６の表面には、光心線提供用の荷札である旨と、光配線盤を所有する電話会社名と、表示内容等に関する問い合わせ先（連絡先）を記入する記入欄１８とが記載されており、札１６の裏面には、工事発注者たる事業者の名と、受注者が管理用に付すオーダ番号と、接続すべきそれぞれの線番と、工事を実施する日付と、施工会社とを記入するための記入欄１９が記載されている。
【００１９】
次に本実施の形態の作用を述べる。
【００２０】
予約した線番の光コネクタアダプタ２に光線番予約棒１を装着する場合、予めタグ１４の札１６に所定の予約情報を記入しておく。そして、光コネクタアダプタ２に光コネクタプラグ７を装着するときに用いる専用の着脱工具を用い、光コネクタアダプタ２内に光線番予約棒１の装着部３を挿入する。
【００２１】
着脱工具は、光コネクタアダプタ２の爪９を両側に押し込みながら装着部３を光コネクタアダプタ２内に案内する。着脱工具が光コネクタアダプタ２の最奥部まで挿入されたら装着部３を光コネクタアダプタ２内に残して引き抜く。
【００２２】
装着部３は、両側の突起８を光コネクタアダプタ２の爪９にそれぞれ掛けられており、光コネクタアダプタ２にロックされた状態で装着される。
【００２３】
このようにして光コネクタアダプタ２に装着された光線番予約棒１は、手で引いた程度では光コネクタアダプタ２から外れることはなく、光コネクタアダプタ２に安定して固定される。また、棒部４は弾力を有するため、手が当たったり引っ掛かっても撓んで力を逃がすことができ、変形したり破損することはない。
【００２４】
光コネクタアダプタ２に光ファイバコード１１を接続するときは、光コネクタアダプタ２に装着された光線番予約棒１を探し、タグ１４の記載内容から接続すべき線番等を照合して所望の光コネクタアダプタ２を探す。このとき、光線番予約棒１の棒部４は周囲の光ファイバコード１１から抜きん出ており、光ファイバコード１１の色に対して目立つ色に配色されているため、容易に見つけだすことができる。また、タグ１４には線番等の予約情報が詳細に記載されているため、他の光線番予約棒１と間違うことはない。
【００２５】
所望の光コネクタアダプタ２が見つかったら、この光コネクタアダプタ２に装着されている光線番予約棒１を上述の着脱工具を用いて外す。要領は光コネクタプラグ７と同じであるため、光接続等の工事を行う作業員であれば誰でも容易に外すことができる。
【００２６】
取り外した光線番予約棒１は、手のひらに収まる程度の大きさであるため、工事中に紛失するようなことも考えられるが、棒部４に施工会社名等が記載されているため、後で見つかったときに他社のものと見分けることができ、容易に回収できる。
【００２７】
このように、光コネクタアダプタ２に係脱可能にロックされる装着部３と、装着部３に軸方向に延びて設けられた棒部４とを備えて光線番予約棒１を構成したため、光コネクタアダプタ２から外れないように光コネクタアダプタ２に安定して固定でき、確実に所望の予約線番を標示できる。
【００２８】
また、装着部３が、光コネクタアダプタ２に係脱可能なロック機構６を有する光コネクタプラグ７からなるものとしたため、光コネクタアダプタ２を傷付ける虞がなく、装着部３を安価に構成でき、光接続等の工事を行う作業員であれば誰でも容易に着脱することができる。
【００２９】
棒部４に、予約に係る情報を記載したため、コネクタ接続盤１０上にて他社のものと容易に判別でき、紛失しても現れたときに容易に回収できる。
【００３０】
棒部４に、予約に係る情報を表示する表示手段５を設けたため、工事内容と照合することができ、誤って他の線番を工事するようなことを防ぐことができる。
【００３１】
表示手段５はタグ１４からなり、棒部４はタグ１４を結びつけるためのリング１５を有するものとしたため、棒部４に表示手段５を容易に着脱することができ、光線番予約棒１を安価なものにできる。
【００３２】
なお、光コネクタがＳＣ２である場合について説明したが、これに限るものではない。光コネクタは他の何れのタイプであってもよい。ただし、ロック機構を有しない光コネクタの場合、光コネクタプラグをそのまま装着部３として用いてもロックできないため、適宜光コネクタアダプタの凹凸に係合するロック機構を作成し、光コネクタプラグに設けるとよい。
【００３３】
また、カバー１３は、熱収縮チューブからなるものとしてもよい。芯棒１２に熱収縮チューブを被せて加熱するだけで容易に芯棒１２にカバー１３を固着できる。
【図面の簡単な説明】
【００３４】
【図１】光コネクタアダプタに装着した光線番予約棒の斜視図である。
【図２】光線番予約棒の平面図である。
【図３】光コネクタアダプタの正面図である。
【図４】（ａ）はタグの正面図であり、（ｂ）はタグの裏面図である。
【図５】光配線盤の斜視図である。
【符号の説明】
【００３５】
１  光線番予約棒
２  光コネクタアダプタ
３  装着部
４  棒部
５  表示手段
６  ロック機構
７  光コネクタプラグ
１０  コネクタ接続盤
１４  タグ
１５  リング
【図１】
2005266095.tif 000003
【図２】
2005266095.tif 000004
【図３】
2005266095.tif 000005
【図４】
2005266095.tif 000006
【図５】
2005266095.tif 000007